(57)【特許請求の範囲】
【請求項１】
希薄燃焼可能な多気筒内燃機関の気筒を複数の気筒群に分割し、夫々の気筒群に夫々接続された排気通路に夫々設けられた三元触媒と、
前記三元触媒よりも下流の前記排気通路が接続する全気筒群共通の合流排気管に設けられた吸蔵還元型ＮＯx触媒と、
前記吸蔵還元型ＮＯx触媒を昇温すべきときに一部の気筒群をリッチ空燃比で運転し、残る気筒群をリーン空燃比で運転すべく空燃比を制御する空燃比制御手段と、
を備えた内燃機関の排気浄化装置において、前記触媒を昇温すべきときに前記一部の気筒群については、機関出力を得るための気筒内での燃焼に関わる空燃比が弱リッチにされ、且つ、膨張行程あるいは排気行程で燃料が副噴射されることを特徴とする内燃機関の排気浄化装置。
【請求項２】
前記一部の気筒群における燃料の副噴射は、この一部の気筒群のサイクルにおいて間欠的に行われることを特徴とする請求項１に記載の内燃機関の排気浄化装置。
【発明の詳細な説明】
【０００１】
【発明の属する技術分野】
本発明は、内燃機関から排出される排気ガスを触媒によって浄化する排気浄化装置に関するものである。
【０００２】
【従来の技術】
内燃機関から排出される排気ガス中の有害成分の大気への排出量を低減するための一手段として、触媒の酸化作用あるいは還元作用を利用して有害成分を浄化するシステムがある。
【０００３】
ところで、内燃機関には燃料を筒内に直接噴射して希薄燃焼を可能にしたものがあり、この筒内直接噴射式希薄燃焼エンジンでは排気ガスも酸素過剰な状態で排出されるため、その排気浄化には、酸素過剰な雰囲気下でも排気浄化が可能な触媒、いわゆるリーンＮＯx触媒（以下、ＮＯx触媒という）が用いられる。
【０００４】
この筒内直接噴射式希薄燃焼エンジンの排気浄化システムでは、ＮＯx触媒を昇温する必要が生じたときに、その昇温手段として気筒群別空燃比制御を採用することがある。気筒群別空燃比制御とは、多気筒エンジンにおいて一部の気筒をリッチ空燃比で運転させると同時に残る気筒をリーン空燃比で運転させる空燃比制御方法であり、リッチ空燃比で運転した気筒（以下、リッチ気筒という）から排出される十分な量の未燃燃料成分を含む排気ガスとリーン空燃比で運転した気筒（以下、リーン気筒という）から排出される十分な量の酸素を含む排気ガスとの混合ガスをＮＯx触媒に供給し、その混合ガス中に含まれる未燃燃料成分と酸素とをＮＯx触媒において酸化反応させることによって、ＮＯx触媒を昇温させる。
【０００５】
例えば、特開平８−６１０５２号公報に開示された内燃機関の排気浄化装置では、吸蔵還元型ＮＯx触媒に吸収された硫黄酸化物（ＳＯx）を該ＮＯx触媒から脱離させる際に、ＳＯx脱離可能な温度まで該ＮＯx触媒を昇温する手段として気筒群別空燃比制御を採用している。
【０００６】
この気筒群別空燃比制御による触媒の昇温処理では、必要とされる温度上昇の程度によってリッチ気筒における空燃比のリッチ度およびリーン気筒における空燃比のリーン度を変える必要があり、温度上昇の程度が大きいほどリッチ気筒の空燃比のリッチ度を大きくして未燃燃料成分を多くし、これに対応してリーン気筒の空燃比のリーン度を大きくして酸素量を多くする。
【０００７】
【発明が解決しようとする課題】
ここで、ＮＯx触媒に昇温処理が要求された時のエンジンの運転状態と温度上昇幅との関係から、リッチ気筒の空燃比を強リッチ（例えば、空燃比６〜７）に設定すべき場合がある。
【０００８】
しかしながら、このように空燃比を強リッチにすると燃焼が悪化し、燃費悪化となるばかりでなく、点火プラグに煤が付着する現象（いわゆる、プラグくすぶり）が起こるという問題があった。プラグくすぶりは、着火不良や失火の原因となる虞れもある。
【０００９】
本発明はこのような従来の技術の問題点に鑑みてなされたものであり、本発明が解決しようとする課題は、気筒内での燃焼に関わる空燃比については安定燃焼が得られる範囲で設定し、足りない分は副噴射で供給することにより、触媒を温度上昇させるのに必要な排気ガス中の未燃燃料量を確保し、安定燃焼と燃費向上を図り、さらにプラグくすぶりの防止を図ることにある。
【００１０】
【課題を解決するための手段】
本発明は前記課題を解決するために、以下の手段を採用した。本発明は、希薄燃焼可能な多気筒内燃機関の気筒を複数の気筒群に分割し、夫々の気筒群に夫々接続された排気通路に夫々設けられた三元触媒と、前記三元触媒よりも下流の前記排気通路が接続する全気筒群共通の合流排気管に設けられた吸蔵還元型ＮＯx触媒と、前記吸蔵還元型ＮＯx触媒を昇温すべきときに一部の気筒群をリッチ空燃比で運転し、残る気筒群をリーン空燃比で運転すべく空燃比を制御する空燃比制御手段と、を備えた内燃機関の排気浄化装置において、前記触媒を昇温すべきときに前記一部の気筒群については、機関出力を得るための気筒内での燃焼に関わる空燃比が弱リッチにされ、且つ、膨張行程あるいは排気行程で燃料が副噴射されることを特徴とする。
【００１１】
触媒を昇温すべきときに前記一部の気筒群について、機関出力を得るための気筒内での燃焼に関わる空燃比を弱リッチとし、且つ、膨張行程あるいは排気行程で燃料を副噴射すると、当該一部の気筒群から排出される排気ガスの空燃比を理論空燃比よりも十分にリッチな強リッチの空燃比にすることができ、触媒を昇温するために触媒において燃焼するのに必要とされる未燃燃料量を確保することができる。その結果、触媒において前記未燃燃料が燃焼して、触媒を所望の温度まで昇温させることができる。一方、機関出力を得るための気筒内での燃焼は弱リッチな空燃比での燃焼であるので安定燃焼が行われ、燃費悪化や失火等を防止することができる。
【００１２】
尚、ここで、排気ガスの空燃比とは、機関吸気通路及び触媒よりも上流での排気通路内に供給された空気及び燃料（炭化水素）の比をいう。
本発明において、弱リッチとは、空燃比が１１〜１４程度のことをいい、強リッチとは空燃比が８〜１１程度のことをいう。
【００１３】
本出願における触媒としては、酸化触媒、リーンＮＯx触媒を例示することができ、リーンＮＯx触媒としては、選択還元型ＮＯx触媒や吸蔵還元型ＮＯx触媒を例示することができる。
【００１４】
選択還元型ＮＯx触媒は、酸素過剰の雰囲気で炭化水素の存在下でＮＯxを還元または分解する触媒をいい、例えば、ゼオライトにＣｕ等の遷移金属をイオン交換して担持した触媒、ゼオライトまたはアルミナに貴金属を担持した触媒、等が含まれる。
【００１５】
吸蔵還元型ＮＯx触媒は、流入排気ガスの空燃比がリーンのときはＮＯxを吸収し、流入排気ガス中の酸素濃度が低下すると吸収したＮＯxを放出しＮ2に還元する触媒をいい、例えばアルミナを担体とし、この担体上に例えばカリウムＫ、ナトリウムＮａ、リチウムＬｉ、セシウムＣｓのようなアルカリ金属、バリウムＢａ、カルシウムＣａのようなアルカリ土類、ランタンＬａ、イットリウムＹのような希土類から選ばれた少なくとも一つと、白金Ｐｔのような貴金属とが担持されてなる。
【００１６】
「触媒を昇温すべきとき」には、吸蔵還元型ＮＯx触媒に吸収されたＳＯxを該ＮＯx触媒から脱離させる際にＳＯx脱離可能な温度まで該ＮＯx触媒を昇温するときや、アイドル運転放置時に触媒温度を上昇させるときや、機関冷間始動時に触媒を暖機させるときなどが含まれる。ただし、「触媒を昇温すべきとき」はこれらのときだけに限られるものではない。
【００１７】
本発明においては、リッチ空燃比で運転すべき前記一部の気筒群における燃料の副噴射は、この一部の気筒群のサイクルにおいて間欠的に実行されるようにすることができる。一部の気筒群のサイクルにおいて間欠的にというのは、例えば、４気筒エンジンにおいて２番気筒と３番気筒をリッチ空燃比で運転する場合、２番気筒と３番気筒の全サイクルについて副噴射を行わずに、２番気筒と３番気筒の３サイクル毎に１サイクルだけ副噴射を行う場合や、２番気筒と３番気筒の４サイクルのうち１〜３サイクルについては副噴射を行い、４サイクル目は副噴射を行わない場合などを含む。
【００１８】
【発明の実施の形態】
以下、本発明に係る内燃機関の排気浄化装置の実施の形態を図１から図４の図面に基いて説明する。尚、以下に説明する各実施の形態は、本発明に係る内燃機関の排気浄化装置を、希薄燃焼可能な筒内直接噴射式の車両用リーンバーンガソリンエンジンに適用した例である。
【００１９】
〔第１の実施の形態〕
図１は、第１の実施の形態における排気浄化装置の概略構成を示す図であり、この図において、符号１は直列４気筒のエンジン本体を示し、エンジン本体１は１番気筒１Ａ，２番気筒１Ｂ，３番気筒１Ｃ，４番気筒１Ｄを備える。各気筒には、点火栓２と燃料噴射弁３が設けられており、このエンジンでは、燃料噴射弁３から燃料が筒内に直接噴射される。
【００２０】
エンジン本体１の気筒は二つの気筒群に分割されており、１番気筒１Ａと４番気筒１Ｄにより第１の気筒群が構成され、２番気筒１Ｂと３番気筒１Ｃとにより第２の気筒群が構成されている。ここで、このエンジン本体１の排気行程順序は１番気筒１Ａ→３番気筒１Ｃ→４番気筒１Ｄ→２番気筒１Ｂに設定されており、各気筒は、排気行程が互いに連続しない気筒同士に分割されていることになる。
【００２１】
１番気筒１Ａと４番気筒１Ｄからなる第１の気筒群は排気マニホルド４ａを介して始動時触媒５ａを収容したケーシング６ａに接続され、２番気筒１Ｂと３番気筒１Ｃからなる第２の気筒群は排気マニホルド４ｂを介して始動時触媒５ｂを収容したケーシング６ｂに接続されている。これらケーシング６ａ、６ｂは共通の合流排気管７を介して吸蔵還元型ＮＯx触媒（以下、ＮＯx触媒と略す）８を収容したケーシング９に接続され、ケーシング９は排気管１０を介して図示しないマフラーに接続されている。
【００２２】
始動時触媒５ａ，５ｂは三元触媒によって構成されている。
ＮＯx触媒８は、流入排気ガスの空燃比がリーンのときはＮＯxを吸収し、流入排気ガス中の酸素濃度が低下すると吸収したＮＯxを放出しＮ2に還元する触媒であり、例えばアルミナを担体とし、この担体上に例えばカリウムＫ、ナトリウムＮａ、リチウムＬｉ、セシウムＣｓのようなアルカリ金属、バリウムＢａ、カルシウムＣａのようなアルカリ土類、ランタンＬａ、イットリウムＹのような希土類から選ばれた少なくとも一つと、白金Ｐｔのような貴金属とが担持されてなる。
【００２３】
エンジンコントロール用の電子制御ユニット（ＥＣＵ）２０はディジタルコンピュータからなり、双方向性バスによって相互に接続されたＲＯＭ（リードオンリメモリ）、ＲＡＭ（ランダムアクセスメモリ）、ＣＰＵ（マイクロプロセッサ）、入力ポート及び出力ポートを具備する。
【００２４】
各気筒の点火栓２、燃料噴射弁３はＥＣＵ２０によって点火時期、燃料噴射時期、燃料噴射期間を制御される。特に、第１の実施の形態において、ＥＣＵ２０は、エンジンの運転状態に応じて燃料噴射弁３を制御することにより、エンジン出力を得るために筒内で燃焼せしめられる燃料を圧縮上死点近傍で噴射する主噴射の実行と、ＮＯx触媒８を昇温するための未燃燃料成分として膨張行程あるいは排気行程において筒内に燃料を噴射する副噴射の実行を制御する。
【００２５】
このガソリンエンジンにおいては、エンジンの運転状態に応じて空燃比を変えて運転する空燃比制御が実行され、ＥＣＵ２０は、エンジン始動時、暖機運転時、加速運転時等には全気筒について理論空燃比制御を実行し、それ以外の時には全気筒についてリーン空燃比制御を実行する。尚、これら通常の運転状態においては、圧縮上死点近傍で燃料噴射弁３から筒内に燃料が主噴射され、エンジン出力を得るための燃焼が行われ、燃料の副噴射は実行されない。
【００２６】
始動時触媒５ａ，５ｂは、エンジン始動時などにＥＣＵ２０が理論空燃比制御を実行してエンジンからストイキの排気ガスが排出されたときに、その排気ガスを三元活性により浄化する。
【００２７】
ＮＯx触媒８は、ＥＣＵ２０がリーン空燃比制御を実行してエンジンからリーン空燃比の排気ガスが排出されたときに、その排気ガス中のＮＯxを吸収して排気ガスを浄化する。
【００２８】
ただし、このＮＯx触媒８のＮＯx吸収能力には限界があり、リーン空燃比制御が長時間継続されるとＮＯx触媒８のＮＯx吸収能力が飽和するので、この排気浄化装置では、ＥＣＵ２０は、ＮＯx触媒８に吸収されるＮＯx量をエンジンの運転履歴から推定し、その推定値が所定の限界値に達したと判定されたときに、全気筒に対してリッチ空燃比での運転を短時間行うためのリッチスパイク制御を実行してＮＯx触媒８に吸収されたＮＯxの放出及び還元を行う。これが、ＮＯx触媒８をＮＯxで飽和させることなくＮＯxの吸収と放出・還元を交互に行うための空燃比制御手法であり、リーン・リッチスパイク制御と称されている。
【００２９】
ところで、燃料には硫黄（Ｓ）が含まれており、燃料中の硫黄が燃焼するとＳＯ2やＳＯ3などの硫黄酸化物（ＳＯx）が発生し、ＮＯx触媒８は排気ガス中のこれらＳＯxも吸収する。ＮＯx触媒８に吸収されるＳＯx量が増大するとＮＯx触媒８のＮＯx吸収能力が低下することが知られており、これが所謂ＳＯx被毒である。
【００３０】
ＮＯx触媒８に吸収されたＳＯxを効率的に脱離させるためには、流入する排気ガスの空燃比を理論空燃比もしくはそれよりも若干リッチにし、且つ、ＮＯx触媒８の触媒温度をＳＯx脱離温度（例えば、５５０゜Ｃ）以上の高温に維持する必要がある。
【００３１】
そこで、この実施の形態の排気浄化装置では、ＥＣＵ２０がエンジンの履歴（例えば、走行距離など）に基づいて、ＮＯx触媒８に吸収されたＳＯx量が所定値に達したと判断したときに、第１の気筒群をリーン空燃比に制御し第２の気筒群をリッチ空燃比に制御する気筒群別空燃比制御を実行して、ＮＯx触媒８を前記ＳＯx脱離温度まで昇温するとともに、ＮＯx触媒８に流入する排気ガスの空燃比を理論空燃比もしくはそれよりも若干リッチな空燃比にする。
【００３２】
ところが、ＳＯx脱離温度は非常に高温であるため、気筒群別空燃比制御だけによってＮＯx触媒８をＳＯx脱離温度まで昇温しようとすると、リッチ空燃比に制御すべき第２の気筒群を強リッチの空燃比（例えば、８〜１１）に制御しなければならない。しかしながら、前述したように、強リッチの空燃比で燃焼させると、燃焼状態が悪くなって燃費悪化となり、プラグくすぶりが発生する虞れがある。
【００３３】
そこで、この第１の実施の形態の排気浄化装置では、気筒群別空燃比制御を実行する場合には、ＥＣＵ２０は、１番気筒１Ａと４番気筒１Ｄの第１の気筒群はリーンな空燃比に制御し、２番気筒１Ｂと３番気筒１Ｃの第２の気筒群は弱リッチな空燃比（例えば、１２．５）に制御すべく、燃料噴射弁３を制御する。この気筒群別空燃比制御によって燃料噴射弁３から主噴射される燃料は、エンジン出力を得るために各気筒内に噴射され燃焼せしめられる燃料であり、筒内で燃焼され得なかった未燃燃料は触媒８の昇温に供される。２番気筒１Ｂ及び３番気筒１Ｃは弱リッチの空燃比に制御されるので、燃焼が非常に安定して燃費もよく、プラグくすぶりのような問題も発生しない。
【００３４】
そして、気筒群別空燃比制御で２番気筒と３番気筒の空燃比を弱リッチにしただけでは、触媒８をＳＯx脱離温度まで昇温させるための未燃燃料量を確保することができないので、ＥＣＵ２０は、この不足分に相当する燃料を２番気筒と３番気筒の膨張行程あるいは排気行程において燃料噴射弁３から副噴射する。副噴射された燃料は気筒内において殆ど燃焼することなく排出され、これにより、２番気筒１Ｂと３番気筒１Ｃから排出される排気ガスの空燃比は、触媒８をＳＯx脱離温度まで昇温させるために必要な量の未燃燃料成分を含む強リッチな空燃比（例えば８〜１１）になる。
【００３５】
さらに、ＥＣＵ２０は、２番気筒１Ｂと３番気筒１Ｃから排出されるリッチ空燃比の排気ガスと、１番気筒１Ａと４番気筒１Ｄから排出されるリーン空燃比の排気ガスが合流してＮＯx触媒８に流入するときに、合流後の混合ガスの平均空燃比が理論空燃比あるいはそれよりも若干リッチな空燃比となるように、１番気筒１Ａと４番気筒１Ｄの空燃比のリーン度を制御する。
【００３６】
その結果、２番気筒１Ｂと３番気筒１Ｃから排出される未燃燃料成分を多量に含む強リッチな空燃比の排気ガスと、１番気筒１Ａと４番気筒１Ｄから排出される酸素を多量に含む排気ガスとの混合ガスがＮＯx触媒８に流入して、混合ガス中に含まれる未燃燃料成分と酸素がＮＯx触媒８において酸化反応を起こし、その反応熱によってＮＯx触媒８をＳＯx脱離温度まで昇温する。これにより、ＮＯx触媒８に吸収されていたＳＯxが脱離し、ＮＯx触媒８をＳＯx被毒から回復させることができる。
【００３７】
図２は、第１の実施の形態において気筒群別空燃比制御を実行しているときの各気筒の燃料噴射タイミングを表したタイミングチャートである。この図において、Ｍは主噴射を表し、Ｓは副噴射を表している。リーン空燃比に制御される１番気筒１Ａと４番気筒１Ｄは主噴射のみ実行され、副噴射は実行されない。リッチ空燃比に制御される２番気筒１Ｂと３番気筒１Ｃは、その総てのサイクルにおいて主噴射と副噴射が実行される。
【００３８】
〔第２の実施の形態〕
次に、本発明の内燃機関の排気浄化装置における第２の実施の形態を図３を参照して説明する。
【００３９】
前述した第１の実施の形態では、ＥＣＵ２０は、気筒群別空燃比制御を実行する場合に、リッチ空燃比に制御すべき２番気筒１Ｂと３番気筒１Ｃについてその総てのサイクルにおいて触媒昇温のための副噴射を実行するように制御しているが、第２の実施の形態では、触媒昇温のための副噴射を２番気筒１Ｂと３番気筒１Ｃのサイクルにおいて間欠的に実行するように制御する。以下、このような制御のことを、副噴射の間欠制御と称す。
【００４０】
詳述すると、図３のタイミングチャートに示すように、第２の実施の形態では、ＥＣＵ２０は、２番気筒１Ｂについては毎サイクル副噴射を実行し、３番気筒１Ｃについては１サイクルおきに副噴射を実行するように、副噴射制御を行う。換言すれば、ＥＣＵ２０は、２番気筒１Ｂと３番気筒１Ｃについて４サイクル中３サイクルについては副噴射を実行し、４サイクル中１サイクルについては副噴射を実行しないように、副噴射制御を行う。
【００４１】
このように、副噴射を間欠制御する理由は次の通りである。燃料噴射弁３は最小噴射量の規制があり、噴射量の精度低下などの理由からこの最小噴射量よりも少ない噴射量に設定することができない。
【００４２】
そのため、ＮＯx触媒８の昇温に必要な未燃燃料成分の不足分を副噴射で補うときに、未燃燃料不足分が少ない場合には、２番気筒１Ｂと３番気筒１Ｃの毎サイクルにおいて副噴射すると、燃料噴射弁３の噴射量を最小噴射量に設定しても、実際に燃料噴射弁３から副噴射される副噴射量が本来補充すべき未燃燃料不足分よりも多くなる場合もあり得る。これでは、過剰な燃料を副噴射することになり、燃費悪化を引き起こす。
【００４３】
そこで、このような場合には、２番気筒１Ｂと３番気筒１Ｃの総てのサイクルにおいて副噴射を実行することを避け、間欠的なサイクルで副噴射を実行することによって、副噴射量を燃料噴射弁３の最小噴射量以上に設定できるようにするのである。
【００４４】
そして、このように副噴射の間欠制御を行った場合には、例えば１番気筒１Ａから４番気筒１Ｄにおいて連続した８サイクルにおいて第１の気筒群と第２の気筒群の排気ガスの混合ガスの空燃比が理論空燃比もしくはそれよりも若干リッチな空燃比となるように、第１の気筒群の空燃比のリーン度を制御する。
【００４５】
尚、副噴射の間欠制御はこの例に限られるものではなく、場合によっては、２番気筒１Ｂと３番気筒１Ｃについて３サイクル中２サイクルについて副噴射を実行し、３サイクル中１サイクルについては副噴射を実行しないよう制御することも可能であるし、あるいは、２番気筒１Ｂと３番気筒１Ｃについて３サイクル中１サイクルについて副噴射を実行し、３サイクル中２サイクルについては副噴射を実行しないよう制御することも可能である。
【００４６】
尚、図４は、副噴射の有無及び副噴射の頻度が、触媒８に対する昇温効果と燃費悪化率に及ぼす影響を求めた実験結果の一例である。黒丸マーク（●）は副噴射無しの場合であり、×マークは毎サイクル副噴射を実行した場合であり、白丸マーク（○）は３サイクル毎に１回副噴射を行う間欠制御を実行した場合であり、四角マーク（□）は５サイクル毎に１回副噴射を行う間欠制御を実行した場合であり、三角マーク（△）は１１サイクル毎に１回副噴射を行う間欠制御を実行した場合である。
【００４７】
【発明の効果】
本発明によれば、希薄燃焼可能な多気筒内燃機関の気筒を複数の気筒群に分割し、夫々の気筒群に夫々接続された排気通路に夫々設けられた三元触媒と、前記三元触媒よりも下流の前記排気通路が接続する全気筒群共通の合流排気管に設けられた吸蔵還元型ＮＯx触媒と、前記吸蔵還元型ＮＯx触媒を昇温すべきときに一部の気筒群をリッチ空燃比で運転し、残る気筒群をリーン空燃比で運転すべく空燃比を制御する空燃比制御手段と、を備えた内燃機関の排気浄化装置において、前記触媒を昇温すべきときに前記一部の気筒群については、機関出力を得るための気筒内での燃焼に関わる空燃比が弱リッチにされ、且つ、膨張行程あるいは排気行程で燃料が副噴射されることにより、触媒昇温時に、機関出力を得るための気筒内での燃焼が非常に安定して、燃焼状態が良好で燃費が向上し、プラグくすぶりも防止することができるという優れた効果が奏される。
【００４８】
また、前記一部の気筒群における燃料の副噴射が、この一部の気筒群のサイクルにおいて間欠的に行われるようにした場合には、副噴射による燃料の過剰供給を防止することができ、燃費が向上するという優れた効果が奏される。
【図面の簡単な説明】
【図１】  本発明に係る内燃機関の排気浄化装置における第１の実施の形態の概略構成を示す図である。
【図２】  第１の実施の形態において気筒群別空燃比制御を実行しているときの各気筒の燃料噴射タイミングを表したタイミングチャートである。
【図３】  第２の実施の形態において気筒群別空燃比制御を実行しているときの各気筒の燃料噴射タイミングを表したタイミングチャートである。
【図４】  副噴射の有無及び副噴射の頻度が触媒に対する昇温効果と燃費悪化率に及ぼす影響を求めた実験結果の一例である。
【符号の説明】
１  エンジン本体（内燃機関）
１Ａ  １番気筒
１Ｂ  ２番気筒
１Ｃ  ３番気筒
１Ｄ  ４番気筒
２  点火栓
３  燃料噴射弁
７  合流排気管（排気通路）
８  吸蔵還元型ＮＯx触媒
１０  排気管（排気通路）
２０  ＥＣＵ（空燃比制御手段）
【図１】
0003929215.tif 000002
【図２】
0003929215.tif 000003
【図３】
0003929215.tif 000004
【図４】
0003929215.tif 000005